(57)【要約】【課題】受光素子の出力電流を良好に測定することが可能な光受信器および受光電流モニタ方法を提供する。【解決手段】光受信器１０１は、光信号を受信するための受光素子５２と、受光素子５２にバイアス電圧を供給し、かつ受光素子５２の出力電流の大きさを示すモニタ電圧を生成するためのバイアス電圧供給／モニタ回路２２と、定電流源２１とを備える。バイアス電圧供給／モニタ回路２２には、定電流源２１の出力電流から受光素子５２の出力電流を差し引いた残留電流が供給され、バイアス電圧供給／モニタ回路２２は、残留電流を上記モニタ電圧に変換する。【選択図】図４
2014017709.tif 000002
【特許請求の範囲】
【請求項１】
光信号を受信するための受光素子と、
前記受光素子にバイアス電圧を供給し、かつ前記受光素子の出力電流の大きさを示すモニタ電圧を生成するためのバイアス電圧供給／モニタ回路と、
定電流源とを備え、
前記バイアス電圧供給／モニタ回路には、前記定電流源の出力電流から前記受光素子の出力電流を差し引いた残留電流が供給され、
前記バイアス電圧供給／モニタ回路は、前記残留電流を前記モニタ電圧に変換する、光受信器。
【請求項２】
前記バイアス電圧供給／モニタ回路は、
前記定電流源および前記受光素子と電気的に接続された第１導通電極と、第２導通電極と、参照電圧を受ける制御電極とを有するトランジスタを含む、請求項１に記載の光受信器。
【請求項３】
前記トランジスタの前記第１導通電極への入力抵抗は、前記第１導通電極および前記第２導通電極間を流れる電流が大きくなるほど、小さくなる、請求項２に記載の光受信器。
【請求項４】
前記トランジスタは、前記第１導通電極としてのエミッタと、前記第２導通電極としてのコレクタと、前記制御電極としてのベースとを有するＰＮＰトランジスタである、請求項３に記載の光受信器。
【請求項５】
前記バイアス電圧供給／モニタ回路は、
前記定電流源、前記受光素子および前記バイアス電圧供給／モニタ回路の接続ノードの電位の、前記受光素子の出力電流の大小に応じた変動を抑制するための電位変動抑制回路を含み、
前記接続ノードの電圧が、前記バイアス電圧として前記受光素子に供給される、請求項１から請求項４のいずれか１項に記載の光受信器。
【請求項６】
前記光受信器は、さらに、
前記定電流源の出力電流に対応するミラー電流を出力するためのカレントミラー回路を備え、
前記定電流源は、前記カレントミラー回路の参照電流出力側と電気的に接続されており、
前記バイアス電圧供給／モニタ回路には、前記カレントミラー回路のミラー電流から前記受光素子の出力電流を差し引いた残留電流が供給される、請求項１から請求項５のいずれか１項に記載の光受信器。
【請求項７】
前記バイアス電圧供給／モニタ回路は、前記定電流源および前記カレントミラー回路の接続ノードの電圧から前記バイアス電圧を生成する、請求項６に記載の光受信器。
【請求項８】
前記光受信器は、さらに、
前記定電流源、前記受光素子の第１端および前記バイアス電圧供給／モニタ回路の接続ノードと、固定電圧の供給される固定電圧ノードとの間に接続されたキャパシタを備え、
前記受光素子の第２端は、前記受光素子の出力電流に基づいて、前記光信号を電気信号に変換した受信信号を生成するための受信信号生成部と電気的に接続される、請求項１から請求項７のいずれか１項に記載の光受信器。
【請求項９】
前記光受信器は、さらに、
前記受光素子の出力電流を測定すべきタイミングを示すタイミング情報に従い、前記モニタ電圧を保持するとともに出力するためのサンプルホールド部とを備える、請求項１から請求項８のいずれか１項に記載の光受信器。
【請求項１０】
前記光受信器は、
複数の宅側装置と、各前記宅側装置と共通の光通信回線を介して光信号を送受信するための局側装置とを備え、前記各宅側装置から前記局側装置への前記光信号が時分割多重される通信システムにおける前記局側装置に設けられる、請求項１から請求項９のいずれか１項に記載の光受信器。
【請求項１１】
前記受光素子はバースト光信号を受信し、
前記光受信器の時定数τが、以下の式を満足するように設定される、請求項１から請求項１０のいずれか１項に記載の光受信器。
ｅｘｐ（−ｔ／τ）＜１／Ｒ
但し、ｔは前記モニタ電圧が安定するまでの最大許容時間であり、Ｒは前記バースト光信号の強弱比である。
【請求項１２】
前記受光素子はバースト光信号を受信し、
前記光受信器の時定数τが、以下の式を満足するように設定される、請求項１から請求項１１のいずれか１項に記載の光受信器。
１−ｅｘｐ（−ｋ／τ）＜ｅｒｒ
ｅｘｐ（−ｔ／τ）＜（１＋ｅｒｒ）／Ｒ
但し、ｋは前記バースト光信号のプリアンブル部において同一論理レベルが連続する最長時間であり、ｅｒｒは最大許容誤差であり、ｔは前記モニタ電圧が安定するまでの最大許容時間であり、Ｒは前記バースト光信号の強弱比である。
【請求項１３】
ｔは６００ナノ秒であり、Ｒは２５０である、請求項１１または請求項１２に記載の光受信器。
【請求項１４】
光信号を受信するための受光素子を備える光受信器における受光電流モニタ方法であって、
定電流源の出力電流から前記受光素子の出力電流を差し引いた残留電流を生成するステップと、
前記受光素子の出力電流の大きさを示すモニタ電圧を、前記残留電流を電圧に変換することにより生成するステップとを含む、受光電流モニタ方法。
【発明の詳細な説明】
【技術分野】
【０００１】
本発明は、光受信器および受光電流モニタ方法に関し、特に、受光素子の出力電流を測定するための光受信器および受光電流モニタ方法に関する。
【背景技術】
【０００２】
光ファイバを用いた公衆回線網において１０ギガビット／秒の通信速度を実現する１０Ｇ−ＥＰＯＮ（10 Gb/s Ethernet（登録商標） Passive Optical Network）では、宅側装置からの光信号をＡＰＤ（Avalanche Photo Diode）等の受光素子で検出し、この受光素子の出力する電流を増幅するために、ＴＩＡ（トランスインピーダンスアンプ）等の前置増幅器が局側装置に設けられる。
【０００３】
また、光送受信器の小型化が要求されており、小型化のために送信器および受信器を隣接させると、送信器から受信器への信号のクロストークによる受信感度の劣化が問題となる。特に、１０Ｇ−ＥＰＯＮでは、１ギガビット／秒の通信速度を実現するＥＰＯＮであるＧＥ−ＰＯＮと比べて、クロストークの問題が顕著となる。ここで、ＡＰＤにバイアス電圧を供給する回路へのクロストークの影響は大きく、クロストークを低減するためには、ＡＰＤ直近にバイパスコンデンサを配置することが効果的である。
【０００４】
米国特許第７４１４２３４号明細書（特許文献１）には、以下のような受光素子を用いた光受信器の強度検出（RSSI:Received Signal Strength Indicator）回路が開示されている。すなわち、受光素子の出力電流をカレントミラー回路によってミラーし、ミラーした電流をモニタに使用する。具体的には、ミラーした電流でキャパシタを充電し、充電電圧が閾値を超える時間をカウントする。
【０００５】
ＲＳＳＩ回路において上記のようにカレントミラー回路を用いる構成では、光バースト信号に対して、その応答性に問題がある。すなわち、カレントミラー回路において、無信号時または弱信号の受信時にトランジスタのベース・エミッタ間の電圧が下がり、抵抗成分（ｄＶ／ｄＩ）が高くなる。そして、これにより、無信号および弱信号受信からのバースト応答、および弱信号受信のバースト応答が遅くなる。特に、ＡＰＤのバイアス電圧印加側にバイパスコンデンサを配置した場合には、バイパスコンデンサとトランジスタの抵抗成分とでローパスフィルタが形成され、バースト応答が遅くなる。
【０００６】
また、「Ｃｕｒｒｅｎｔ  Ｓｅｎｓｅ  Ｃｉｒｃｕｉｔ  Ｃｏｌｌｅｃｔｉｏｎ」、リニアテクノロジー  アプリケーションノート１０５、2005年12月（非特許文献１）には、モニタ対象の電流をセンス抵抗を通して流し、センス抵抗の両端電圧を差動増幅器で受ける回路が開示されている。
【先行技術文献】
【非特許文献】
【０００７】
【非特許文献１】「Ｃｕｒｒｅｎｔ  Ｓｅｎｓｅ  Ｃｉｒｃｕｉｔ  Ｃｏｌｌｅｃｔｉｏｎ」、リニアテクノロジー  アプリケーションノート１０５、2005年12月
【特許文献】
【０００８】
【特許文献１】米国特許第７４１４２３４号明細書
【特許文献２】米国特許出願公開第２０１０／０２９５５３８号明細書
【発明の概要】
【発明が解決しようとする課題】
【０００９】
しかしながら、特許文献１に記載の技術では、特に受光レベルが低い場合、カレントミラーの動作速度が遅くなってしまう。
【００１０】
具体的には、光受信器が不連続信号すなわちバースト光信号を受信する構成において、光信号が到着しない期間において受光強度がゼロ、すなわち受光素子の出力電流がゼロアンペアとなった状態で新たに光信号を受信する場合を考える。
【００１１】
この場合、カレントミラー回路におけるダイオード接続されたトランジスタの導通電極間の電圧がゼロボルトの状態からトランジスタが導通し始めることから、このタイミングにおけるトランジスタは等価的に非常に大きな抵抗になる。
【００１２】
そうすると、この等価抵抗と受光素子へのバイアス電圧供給ノードに接続するバイパスコンデンサとで形成されるローパスフィルタの時定数が大きくなり、バースト応答が遅くなってしまう。
【００１３】
このような問題点を解決するために、上記トランジスタの導通電極間の電圧が下がらないように受光素子と並列にセンス抵抗を設け、無信号時にもバイアス電圧供給ノードから電流を引き抜くことにより、抵抗成分を低く抑える回路が考えられる（たとえば、米国特許出願公開第２０１０／０２９５５３８号明細書（特許文献２）参照）。
【００１４】
しかしながら、上記のようにカレントミラー回路を用いる構成では、ＰＮＰトランジスタが用いられる場合、ＰＮＰトランジスタの温度電圧Ｖｔ／コレクタ電流Ｉｃで計算される等価抵抗が、応答速度すなわち時定数の要求を満たす値に設定される必要がある。そして、受光素子へのバイアス電圧の最適値のばらつき、カレントミラー回路のばらつき、および受光素子の温度特性を考慮すると、モニタ精度の劣化は大きくなる。
【００１５】
また、非特許文献１に記載の技術では、特に受光レベルが低い場合、所望のモニタ速度を達成するようにセンス抵抗の値を設定すると、センス抵抗の両端電圧が小さくなり、モニタ精度に影響を与える可能性がある。
【００１６】
具体的には、たとえば、ポイント・ツー・マルチポイント通信を行なう局側装置用の光受信器における、受光電流モニタ機能に対する要求を考える。
【００１７】
たとえば１０Ｇ−ＥＰＯＮでは、局側装置の受光レベルに関して、１０．３１２５Ｇｂｐｓの上り光信号は−６ｄＢｍ〜−２８ｄＢｍと規定され、また、ＧＥ−ＰＯＮでは、１．２５Ｇｂｐｓの上り光信号は−１０ｄＢｍ〜−２９．７８ｄＢｍと規定されている。
【００１８】
ＧＥ−ＰＯＮおよび１０Ｇ−ＥＰＯＮが同一システムにおいて共存する場合、−６ｄＢｍの高強度のバースト光信号の後に−２９．７８ｄＢｍの低強度のバースト光信号を受信し、この低強度のバースト光信号の受光強度をモニタするためには、当該モニタを行なうタイミングにおいて、受光素子の出力電流を示すセンス電圧が強信号受信時の約−２４ｄＢ以下で安定している必要がある。
【００１９】
ここで、１０Ｇ−ＥＰＯＮを規定するＩＥＥＥ８０２．３ａｖでは、上り光信号の先頭における同期パターンの長さが１．２ｕｓ（マイクロ秒）以下に規定されている。たとえば、同期パターンの長さ以内の６００ｎｓ（ナノ秒）で上り光信号の受光レベルをモニタするには、センス電圧が強信号受信時の−２４ｄＢに６００ｎｓで安定する必要がある。
【００２０】
この場合、時定数τに対する条件はｅｘｐ（−６００［ｎｓ］／τ）＜１／２５０であり、τ＜１０８［ｎｓ］となる。ここで、１／２５０は−２４ｄＢの真値であり、１０(-24/10)から得られる。
【００２１】
一般に、受光素子へのバイアス電圧供給ノードに接続するバイパスコンデンサの容量は５００ｐＦ程度に設定されることが多く、この場合、センス抵抗の値は２００Ω程度に設定される必要がある。
【００２２】
上記のように−２９．７８ｄＢｍの低強度のバースト光信号を受信する場合、受光素子がＡＰＤであり、その電流増倍率が１０であると仮定しても、受光素子の出力電流は高々１０ｕＡ程度であり、センス抵抗の端子間電圧は２ｍＶ程度である。このため、差動増幅器のオフセット電圧のばらつき等によるモニタ精度の劣化が懸念される。
【００２３】
すなわち、特許文献１、特許文献２および非特許文献１に記載のＲＳＳＩ回路では、高精度な受光電流モニタを実現することは困難である。
【００２４】
この発明は、上述の課題を解決するためになされたもので、その目的は、受光素子の出力電流を良好に測定することが可能な光受信器および受光電流モニタ方法を提供することである。
【課題を解決するための手段】
【００２５】
上記課題を解決するために、この発明のある局面に係わる光受信器は、光信号を受信するための受光素子と、上記受光素子にバイアス電圧を供給し、かつ上記受光素子の出力電流の大きさを示すモニタ電圧を生成するためのバイアス電圧供給／モニタ回路と、定電流源とを備え、上記バイアス電圧供給／モニタ回路には、上記定電流源の出力電流から上記受光素子の出力電流を差し引いた残留電流が供給され、上記バイアス電圧供給／モニタ回路は、上記残留電流を上記モニタ電圧に変換する。
【００２６】
このように、残留電流をモニタ用の電流として用いる構成により、受光素子の受光強度が小さく受光素子の出力電流が小さい場合でも、モニタ用の電流値は大幅には小さくならないため、モニタ回路における電圧変換用の抵抗のばらつき等によるモニタ電圧のばらつきが小さくなる。これにより、受光素子の出力電流が小さい場合でも、モニタ精度が劣化することを防ぐことができる。したがって、受光素子の出力電流を良好に測定することができる。また、残留電流をモニタ用の電流として用いる構成により、受光素子の出力電流はモニタ回路におけるモニタ電流に影響されないことから、光信号を電気信号に変換する主信号回路を良好に動作させることができる。
【００２７】
好ましくは、上記バイアス電圧供給／モニタ回路は、上記定電流源および上記受光素子と電気的に接続された第１導通電極と、第２導通電極と、参照電圧を受ける制御電極とを有するトランジスタを含む。
【００２８】
このように、バイアス電圧供給／モニタ回路においてトランジスタを用いる構成により、受光素子の受光強度が小さい場合において残留電流がほぼ定電流源の出力電流となり、受光素子および当該トランジスタの接続ノードから当該トランジスタへの入力抵抗が一定となるため、受光素子の受光強度が小さい場合において受光素子へのバイアス電圧が安定し、モニタ精度を高めることができる。また、バイアス電圧供給／モニタ回路の入力抵抗を小さくすることができるため、回路の時定数が小さくなり、モニタ回路の応答性を高めることができる。
【００２９】
より好ましくは、上記トランジスタの上記第１導通電極への入力抵抗は、上記第１導通電極および上記第２導通電極間を流れる電流が大きくなるほど、小さくなる。
【００３０】
このような構成により、受光素子の受光強度が小さい場合において受光素子および上記トランジスタの接続ノードから上記トランジスタへの入力抵抗が小さくなることから、回路の時定数が小さくなり、モニタ回路の応答性を高めることができる。また、定電流源の出力電流値を調整することで、上記入力抵抗の値を容易に制御することが可能となる。
【００３１】
より好ましくは、上記トランジスタは、上記第１導通電極としてのエミッタと、上記第２導通電極としてのコレクタと、上記制御電極としてのベースとを有するＰＮＰトランジスタである。
【００３２】
このように、ＰＮＰトランジスタを用いる構成により、モニタ電圧をたとえばグランド基準の低電圧とすることができるため、レベルシフトを行なうための耐圧の大きい部品等を不要とすることができる。
【００３３】
好ましくは、上記バイアス電圧供給／モニタ回路は、上記定電流源、上記受光素子および上記バイアス電圧供給／モニタ回路の接続ノードの電位の、上記受光素子の出力電流の大小に応じた変動を抑制するための電位変動抑制回路を含み、上記接続ノードの電圧が、上記バイアス電圧として上記受光素子に供給される。
【００３４】
このような構成により、受光素子の受光強度の大小に関わらず受光素子へのバイアス電圧が安定し、モニタ精度を高めることができる。
【００３５】
好ましくは、上記光受信器は、さらに、上記定電流源の出力電流に対応するミラー電流を出力するためのカレントミラー回路を備え、上記定電流源は、上記カレントミラー回路の参照電流出力側と電気的に接続されており、上記バイアス電圧供給／モニタ回路には、上記カレントミラー回路のミラー電流から上記受光素子の出力電流を差し引いた残留電流が供給される。
【００３６】
このような構成により、受光素子の受光強度が大きいことにより定電流源の出力電流値を超えるような状況において、受光素子の出力電流を減少させることができるため、受光素子の過電流破壊を防ぐことができる。
【００３７】
より好ましくは、上記バイアス電圧供給／モニタ回路は、上記定電流源および上記カレントミラー回路の接続ノードの電圧から上記バイアス電圧を生成する。
【００３８】
このような構成により、バイアス電圧を供給するための電圧源を別途設ける必要がなくなり、回路構成の簡易化を図ることができる。
【００３９】
好ましくは、上記光受信器は、さらに、上記定電流源、上記受光素子の第１端および上記バイアス電圧供給／モニタ回路の接続ノードと、固定電圧の供給される固定電圧ノードとの間に接続されたキャパシタを備え、上記受光素子の第２端は、上記受光素子の出力電流に基づいて、上記光信号を電気信号に変換した受信信号を生成するための受信信号生成部と電気的に接続される。
【００４０】
このような構成により、受光素子のバイアス電圧供給経路における高周波ノイズを除去し、光信号から電気信号への変換および光信号のモニタを良好に行なうことができる。
【００４１】
好ましくは、上記光受信器は、さらに、上記受光素子の出力電流を測定すべきタイミングを示すタイミング情報に従い、上記モニタ電圧を保持するとともに出力するためのサンプルホールド部とを備える。
【００４２】
このような構成により、サンプルホールド部より後段の回路の動作を低速化することができるため、高精度な部品を使用することができる。たとえば、後段のＡ／Ｄコンバータの低速動作を可能とすることにより、Ａ／Ｄコンバータとして高速動作を満足する部品を使用する必要がなくなり、部品選択の容易化を図ることができる。
【００４３】
好ましくは、上記光受信器は、複数の宅側装置と、各上記宅側装置と共通の光通信回線を介して光信号を送受信するための局側装置とを備え、上記各宅側装置から上記局側装置への上記光信号が時分割多重される通信システムにおける上記局側装置に設けられる。
【００４４】
このような受動的光ネットワークにおいて光受信器を用いることにより、各宅側装置から強度の異なるバースト光信号を連続して受信しても、受光素子の出力電流を高速かつ高精度に検出することができる。
【００４５】
好ましくは、上記受光素子はバースト光信号を受信し、上記光受信器の時定数τが、以下の式を満足するように設定される。
ｅｘｐ（−ｔ／τ）＜１／Ｒ
但し、ｔは上記モニタ電圧が安定するまでの最大許容時間であり、Ｒは上記バースト光信号の強弱比である。
【００４６】
このような構成により、受光素子の出力電流を電圧に変換する回路の時定数を十分短くすることができるため、受光素子の出力電流を良好に測定することができる。
【００４７】
好ましくは、上記受光素子はバースト光信号を受信し、上記光受信器の時定数τが、以下の式を満足するように設定される。
１−ｅｘｐ（−ｋ／τ）＜ｅｒｒ
ｅｘｐ（−ｔ／τ）＜（１＋ｅｒｒ）／Ｒ
但し、ｋは上記バースト光信号のプリアンブル部において同一論理レベルが連続する最長時間であり、ｅｒｒは最大許容誤差であり、ｔは上記モニタ電圧が安定するまでの最大許容時間であり、Ｒは上記バースト光信号の強弱比である。
【００４８】
このような構成により、受光素子の出力電流を電圧に変換する回路の時定数を十分短くすることができるため、受光素子の出力電流を良好に測定することができる。また、時定数の最小値および許容誤差を考慮した適切な値の時定数を設定することができる。
【００４９】
より好ましくは、ｔは６００ナノ秒であり、Ｒは２５０である。
【００５０】
このような構成により、ＧＥ−ＰＯＮおよび１０Ｇ−ＥＰＯＮが同一システムにおいて共存する通信システムにおいて、受光素子の出力電流を電圧に変換する回路の時定数を十分短く設定することができるため、上り光信号の受光強度を良好に測定することができる。
【００５１】
上記課題を解決するために、この発明のある局面に係わる受光電流モニタ方法は、光信号を受信するための受光素子を備える光受信器における受光電流モニタ方法であって、定電流源の出力電流から上記受光素子の出力電流を差し引いた残留電流を生成するステップと、上記受光素子の出力電流の大きさを示すモニタ電圧を、上記残留電流を電圧に変換することにより生成するステップとを含む。
【００５２】
このように、残留電流をモニタ用の電流として用いる構成により、受光素子の受光強度が小さく受光素子の出力電流が小さい場合でも、モニタ用の電流値は大幅には小さくならないため、モニタ回路における電圧変換用の抵抗のばらつき等によるモニタ電圧のばらつきが小さくなる。これにより、受光素子の出力電流が小さい場合でも、モニタ精度が劣化することを防ぐことができる。したがって、受光素子の出力電流を良好に測定することができる。また、残留電流をモニタ用の電流として用いる構成により、受光素子の出力電流はモニタ回路におけるモニタ電流に影響されないことから、光信号を電気信号に変換する主信号回路を良好に動作させることができる。
【発明の効果】
【００５３】
本発明によれば、受光素子の出力電流を良好に測定することができる。
【図面の簡単な説明】
【００５４】
【図１】本発明の実施の形態に係るＰＯＮシステムの構成を示す図である。
【図２】本発明の実施の形態に係る局側装置の構成を示す図である。
【図３】本発明の実施の形態に係る局側装置の構成を示す図である。
【図４】本発明の実施の形態に係る光受信器におけるバイアス／電流モニタ部の構成を示す図である。
【図５】本発明の実施の形態に係る光受信器におけるバイアス電圧供給／モニタ回路の詳細な構成を示す図である。
【図６】図４に示す回路にノイズ除去用の回路および主信号系の回路を追加した構成を示す図である。
【図７】本発明の実施の形態に係る光受信器におけるバイアス／電流モニタ部の詳細な構成を示す図である。
【図８】本発明の実施の形態に係る光受信器におけるバイアス／電流モニタ部の詳細な構成を示す図である。
【図９】図７に示す回路にサンプルホールド機能を追加した構成を示す図である。
【図１０】本発明の実施の形態に係る光受信器のシミュレーション回路を示す図である。
【図１１】図１０に示すシミュレーション回路におけるモニタ特性を示す図である。
【図１２】図１０に示すシミュレーション回路における過渡応答を示す図である。
【図１３】図１０に示すシミュレーション回路における周波数応答を示す図である。
【図１４】図１０に示すシミュレーション回路におけるリミット機能を示す図である。
【図１５】図１０に示すシミュレーション回路に与えるバースト光信号の一例を示す図である。
【図１６】図１５に示すバースト光信号を与えた場合におけるテスト用のバースト光信号のモニタ結果を示す図である。
【図１７】図１５に示すバースト光信号を与えた場合におけるテスト用のバースト光信号のモニタ結果を示す図である。
【図１８】本発明の実施の形態に係る受光電流モニタ方法の手順を示すフローチャートである。
【図１９】本発明の実施の形態に係る光受信器におけるバイアス／電流モニタ部の変形例の構成を示す図である。
【図２０】本発明の実施の形態に係る光受信器におけるバイアス／電流モニタ部の変形例の構成を示す図である。
【図２１】図２０に示すシミュレーション回路におけるバイアス電圧の特性を示す図である。
【図２２】図２０に示すシミュレーション回路における過渡応答を示す図である。
【発明を実施するための形態】
【００５５】
以下、本発明の実施の形態について図面を用いて説明する。なお、図中同一または相当部分には同一符号を付してその説明は繰り返さない。
【００５６】
図１は、本発明の実施の形態に係るＰＯＮシステムの構成を示す図である。
【００５７】
図１を参照して、ＰＯＮシステム５０１は、たとえば１０Ｇ−ＥＰＯＮであり、宅側装置４０１Ａ，４０１Ｂ，４０１Ｃ，４０１Ｄと、局側装置４０２と、スプリッタＳＰ１，ＳＰ２とを備える。宅側装置４０１Ａ，４０１Ｂ，４０１Ｃと局側装置４０２とは、スプリッタＳＰ１およびＳＰ２ならびに光ファイバＯＰＴＦを介して接続され、互いに光信号を送受信する。宅側装置４０１Ｄと局側装置４０２とは、スプリッタＳＰ２および光ファイバＯＰＴＦを介して接続され、互いに光信号を送受信する。ＰＯＮシステム５０１では、宅側装置４０１Ａ，４０１Ｂ，４０１Ｃ，４０１Ｄから局側装置４０２への上り光信号が時分割多重される。
【００５８】
図２は、本発明の実施の形態に係る局側装置の構成を示す図である。
【００５９】
図２を参照して、局側装置４０２は、光モジュール３０１と、ＰＯＮ受信部３０２と、ＰＯＮ送信部３０３と、通信制御部３０４と、上位ネットワーク受信部３０５と、上位ネットワーク送信部３０６とを備える。光モジュール３０１は、光受信器１０１と、光送信器５８と、合分波部５０とを含む。光受信器１０１は、バイアス／電流モニタ部１１と、レンズ５１と、受光素子５２と、前置増幅器５３とを含む。光送信器５８は、レンズ５７と、発光素子５６とを含む。ＰＯＮ受信部３０２は、後置増幅器５４と、クロック／データ再生部５９とを含む。なお、「バイアス／電流モニタ部」は、「バイアスおよび電流モニタ部」と表現することも可能である。また、「クロック／データ再生部」は、「クロックおよびデータ再生部」と表現することも可能である。
【００６０】
上位ネットワーク５０２からのフレームは上位ネットワーク受信部３０５により受信され、通信制御部３０４へ送られる。通信制御部３０４は、ＰＯＮ送信部３０３を介して光モジュール３０１へフレームを出力する。光モジュール３０１の光送信器５８において、発光素子５６は、ＰＯＮ送信部３０３から受けた電気信号であるフレームを光信号に変換し、レンズ５７および合分波部５０を介して宅側装置へ送信する。
【００６１】
一方、宅側装置から局側装置へ送信された光信号は、合分波部５０を介して光受信器１０１により受信される。光受信器１０１において、受光素子５２は、合分波部５０およびレンズ５１を介して光ファイバＯＰＴＦと光学的に結合されている。受光素子５２は、光ファイバＯＰＴＦから受けた光量に応じた電流を出力する。前置増幅器５３は、受光素子５２から受けた電流を増幅して電圧に変換し、ＰＯＮ受信部３０２へ出力する。
【００６２】
ＰＯＮ受信部３０２において、後置増幅器５４は、前置増幅器５３から受けた電圧を、受信信号すなわち２値のレベルを有する電圧に変換してクロック／データ再生部５９へ出力する。クロック／データ再生部５９は、後置増幅器５４から受けた受信信号に基づいて、クロックおよびデータを再生する。
【００６３】
通信制御部３０４は、クロック／データ再生部５９から受けたデータを復号化し、データフレームおよび制御フレームを復元する。通信制御部３０４は、復元したこれらのフレームに基づいて、上位ネットワーク送信部３０６を介して上位ネットワーク５０２へフレームを送信する。また、通信制御部３０４は、各宅側装置が送信した光信号が時間的に競合しないように、宅側装置からのバースト信号の開始タイミングおよび終了タイミング等を管理し、バースト信号を送信してもよい期間を示すウインドウを制御フレームに含めて宅側装置に通知する。宅側装置は、割り当てられたウインドウにおいてバースト信号を送信してくるため、通信制御部３０４は、管理しているタイミングに基づいて、バースト信号の測定タイミングを示すタイミング情報をバイアス／電流モニタ部１１へ出力する。
【００６４】
バイアス／電流モニタ部１１は、通信制御部３０４から受けたタイミング情報の示すタイミングに従って受光素子５２の出力電流を検出し、検出結果を示すモニタ信号を通信制御部３０４へ出力する。
【００６５】
通信制御部３０４は、たとえば、バイアス／電流モニタ部１１から受けたモニタ信号の示す受光素子５２の出力電流レベルを記憶するとともに、局側装置４０２に接続された監視システム等の端末装置へ出力する。
【００６６】
図３は、本発明の実施の形態に係る光受信器の構成を示す図である。
【００６７】
図３を参照して、光受信器１０１は、バイアス／電流モニタ部１１と、受光素子５２と、キャパシタ２５と、帰還抵抗５５が設けられた前置増幅器５３とを含む。受光素子５２は、たとえばＡＰＤである。
【００６８】
バイアス／電流モニタ部１１は、受光素子５２にバイアス電圧Ｖｂｉａｓを供給し、かつ受光素子５２の出力電流を測定する。そして、バイアス／電流モニタ部１１は、測定した受光素子５２の出力電流の大きさを示すモニタ電圧Ｖｒｓｓｉを生成して通信制御部３０４へ出力する。
【００６９】
キャパシタ２５は、受光素子５２のバイアス電圧印加側にバイパスコンデンサとして設けられる。キャパシタ２５は、受光素子５２の近傍に配置されることが好ましい。
【００７０】
図４は、本発明の実施の形態に係る光受信器におけるバイアス／電流モニタ部の構成を示す図である。
【００７１】
図４を参照して、バイアス／電流モニタ部１１は、定電流源２１と、バイアス電圧供給／モニタ回路２２とを含む。バイアス電圧供給／モニタ回路２２は、電位変動抑制回路２３と、抵抗３０とを含む。なお、「バイアス電圧供給／モニタ回路」は、「バイアス電圧供給およびモニタ回路」と表現することも可能である。
【００７２】
定電流源２１は、定電流Ｉｓを生成し、バイアス電圧供給／モニタ回路２２および受光素子５２へ出力する。定電流Ｉｓは、受光素子５２の出力電流Ｉａｐｄの最大値よりも十分に大きい。
【００７３】
バイアス電圧供給／モニタ回路２２は、受光素子５２にバイアス電圧Ｖｂｉａｓを供給し、かつ受光素子５２の出力電流Ｉａｐｄの大きさを示すモニタ電圧Ｖｒｓｓｉを生成する。
【００７４】
バイアス電圧供給／モニタ回路２２には、定電流源２１の出力電流Ｉｓから受光素子５２の出力電流Ｉａｐｄを差し引いた残留電流Ｉｒｓｓｉが供給される。そして、バイアス電圧供給／モニタ回路２２は、残留電流Ｉｒｓｓｉをモニタ電圧Ｖｒｓｓｉに変換する。
【００７５】
より詳細には、バイアス／電流モニタ部１１では、定電流源２１の出力ノード、バイアス電圧供給／モニタ回路２２の電流入力ノード、および受光素子５２のカソードが接続されている。これにより、バイアス／電流モニタ部１１は、定電流源２１の出力電流Ｉｓから受光素子５２の出力電流Ｉａｐｄを減算する機能を有し、減算後の残留電流Ｉｒｓｓｉを電流電圧変換したモニタ電圧Ｖｒｓｓｉを出力する。
【００７６】
抵抗３０は、電位変動抑制回路２３に接続された第１端と、接地電圧の供給される接地ノードに接続された第２端とを有する。残留電流Ｉｒｓｓｉは、抵抗３０によって電圧に変換され、電位変動抑制回路２３および抵抗３０の第１端の接続ノードからモニタ電圧Ｖｒｓｓｉとして出力される。
【００７７】
また、バイアス／電流モニタ部１１は、参照電圧Ｖｒｅｆを基準電圧として受光素子５２へのバイアス電圧Ｖｂｉａｓを生成する。
【００７８】
電位変動抑制回路２３は、定電流源２１、受光素子５２およびバイアス電圧供給／モニタ回路２２の接続ノードＮｂｉａｓの電位の、受光素子５２の出力電流Ｉａｐｄの大小に応じた変動を抑制する。この接続ノードＮｂｉａｓの電圧が、バイアス電圧Ｖｂｉａｓとして受光素子５２に供給される。
【００７９】
このように、残留電流Ｉｒｓｓｉをモニタ用の電流として用いる構成により、受光素子５２の受光強度が小さく出力電流Ｉａｐｄが小さい場合でも、モニタ用の電流である残留電流Ｉｒｓｓｉは大幅には小さくならないため、バイアス電圧供給／モニタ回路２２における電圧変換用の抵抗３０のばらつき等によるモニタ電圧Ｖｒｓｓｉのばらつきが小さくなる。これにより、受光素子５２の出力電流Ｉａｐｄが小さい場合でも、モニタ精度が劣化することを防ぐことができる。
【００８０】
また、残留電流Ｉｒｓｓｉをモニタ用の電流として用いる構成により、受光素子５２の出力電流Ｉａｐｄはバイアス電圧供給／モニタ回路２２におけるモニタ用の電流に影響されないことから、光信号を電気信号に変換する前置増幅器５３等の主信号回路を良好に動作させることができる。
【００８１】
図５は、本発明の実施の形態に係る光受信器におけるバイアス電圧供給／モニタ回路の詳細な構成を示す図である。
【００８２】
図５を参照して、電位変動抑制回路２３は、定電流源２１および受光素子５２と電気的に接続された第１導通電極と、第２導通電極と、参照電圧Ｖｒｅｆを受ける制御電極とを有するトランジスタ３１を含む。トランジスタ３１の第１導通電極への入力抵抗は、上記第１導通電極および上記第２導通電極間を流れる電流が大きくなるほど、小さくなる。
【００８３】
トランジスタ３１は、たとえば、第１導通電極としてのエミッタと、第２導通電極としてのコレクタと、制御電極としてのベースとを有するＰＮＰトランジスタである。なお、ＰＮＰトランジスタ３１は、ＰチャネルＭＯＳ（Metal Oxide Semiconductor）トランジスタ等、他のＰ型トランジスタであってもよい。
【００８４】
より詳細には、ＰＮＰトランジスタ３１は、参照電圧Ｖｒｅｆを受けるベースと、定電流源２１の出力電流Ｉｓを受けるエミッタと、抵抗３０に接続されたコレクタとを有する。
【００８５】
この回路では、バイアス電圧供給／モニタ回路２２の電流入力ノードすなわちＰＮＰトランジスタ３１のエミッタの入力抵抗Ｒｉｎが、以下の式（Ａ１）で表される。
Ｒｉｎ＝Ｖｔ／Ｉｃ・・・（Ａ１）
【００８６】
但し、ＶｔはＰＮＰトランジスタ３１の温度電圧であり、Ｉｃは残留電流Ｉｒｓｓｉに相当するＰＮＰトランジスタ３１のコレクタ電流である。また、Ｖｔは以下の式（Ａ２）で表される。
Ｖｔ＝ｋ×Ｔ／ｑ・・・（Ａ２）
【００８７】
但し、ｋはボルツマン定数であり、Ｔは絶対温度であり、ｑは素電荷である。
【００８８】
式（Ａ１）より、定電流源２１の出力電流Ｉｓを設定することにより、入力抵抗Ｒｉｎを制御できることが分かる。また、受光素子５２の受光強度が小さいとき、コレクタ電流Ｉｃは定電流Ｉｓに漸近することから、入力抵抗Ｒｉｎを小さくすることが可能となる。
【００８９】
すなわち、ＰＮＰトランジスタ３１を用いる構成により、受光素子５２の受光強度が小さい場合でも、入力抵抗Ｒｉｎが小さくなるようなコレクタ電流Ｉｃを流すことができるため、時定数τを十分に小さく設定することが可能となる。
【００９０】
また、受光素子５２の受光強度が小さい場合において残留電流Ｉｒｓｓｉが定電流源２１の出力電流Ｉｓと略等しくなり、受光素子５２およびＰＮＰトランジスタ３１の接続ノードＮｂｉａｓからＰＮＰトランジスタ３１への入力抵抗Ｒｉｎが一定となる。このため、受光素子５２の受光強度が小さい場合においても受光素子５２へのバイアス電圧Ｖｂｉａｓが安定し、モニタ精度を高めることができる。
【００９１】
なお、受光素子５２へのバイアス電圧Ｖｂｉａｓは、参照電圧ＶｒｅｆにＰＮＰトランジスタ３１のベース−エミッタ間電圧を加えた電圧となる。
【００９２】
図６は、図４に示す回路にノイズ除去用の回路および主信号系の回路を追加した構成を示す図である。
【００９３】
図６を参照して、キャパシタ２５は、定電流源２１、受光素子５２のカソードおよびバイアス電圧供給／モニタ回路２２の接続ノードＮｂｉａｓと、固定電圧たとえば接地電圧の供給される固定電圧ノードとの間に接続されている。すなわち、キャパシタ２５は、受光素子５２のカソードに接続された第１端と、接地ノードに接続された第２端とを有する。
【００９４】
また、受光素子５２のアノードは、前置増幅器５３の入力ノードに接続されている。受信信号生成部２８は、たとえば前置増幅器５３、後置増幅器５４および帰還抵抗５５を含み、受光素子５２のアノードと電気的に接続され、受光素子５２の出力電流Ｉａｐｄに基づいて、光信号を電気信号に変換した受信信号を生成する。
【００９５】
ここで、ＧＥ−ＰＯＮでは、プリアンブル部における８Ｂ１０Ｂアイドルパターンの同一論理レベルが最長で５ｂｉｔすなわち４ｎｓ連続する。また、プリアンブル長が最大で８００ｎｓである。
【００９６】
また、１０Ｇ−ＥＰＯＮでは、プリアンブル部における同期パターンの同一論理レベルが最長で６ｂｉｔすなわち０．６ｎｓ連続する。また、プリアンブル長が最大で１．２ｕｓである。
【００９７】
そして、ペイロード部におけるデータパターンは任意であることから、連続符号時間すなわち同一論理レベルが連続する時間が長くなる可能性がある。このため、プリアンブル部の同期パターン内にモニタ電圧が収束することがモニタ精度の向上につながる。また、実際のシステムでは、ベンダー間の相互接続性の観点から、同期パターン内でのモニタ電圧の収束が求められる場合がある。
【００９８】
ここでは、同期パターンの長さ以内の６００ｎｓで上り光信号の受光レベルをモニタすることを目標とする。
【００９９】
また、ＧＥ−ＰＯＮおよび１０Ｇ−ＥＰＯＮが同一システムにおいて共存する場合、前述のように、バースト信号の強弱比は約２４ｄＢとなる。
【０１００】
ここで、光受信器１０１では、バイアス／電流モニタ部１１における回路の時定数τが、たとえば以下の式（Ｂ１）を満足するように設定される。
ｅｘｐ（−ｔ／τ）＜１／Ｒ・・・（Ｂ１）
【０１０１】
但し、ｔはモニタ電圧Ｖｒｓｓｉが安定するまでの最大許容時間であり、Ｒはバースト光信号の強弱比である。式（Ｂ１）において、たとえば、ｔは６００ナノ秒であり、Ｒは２５０である。ここで、２５０は−２４ｄＢの真値であり、１０24/10から得られる。
【０１０２】
そして、バイアス電圧供給／モニタ回路２２の入力抵抗をＲｉｎとし、キャパシタ２５の容量をＣａｐｄとすると、τ＝Ｒｉｎ×Ｃａｐｄであるから、τがこの条件を満足するように、ＲｉｎおよびＣａｐｄを設定すればよい。
【０１０３】
また、たとえば、光受信器１０１では、バイアス／電流モニタ部１１における回路の時定数τが、以下を満足するように設定される。
【０１０４】
宅側装置からのバースト信号のプリアンブル部における連続符号時間すなわちプリアンブル部において同一論理レベルが連続する最長時間をｋとし、測定すべき電流値に対する誤差をｅｒｒとすると、
１−ｅｘｐ（−ｋ／τ）＜ｅｒｒ・・・（Ｃ１）
【０１０５】
たとえば、式（Ｃ１）において、ｋ／τ＝１／５の場合、ｅｒｒ＝１８％となる。
【０１０６】
このような構成により、バースト信号のプリアンブル部の同期用パターンにおいて、同一論理レベルの連続時間よりも時定数を十分長くすることができるため、受光素子５２の出力電流を良好に測定することができる。
【０１０７】
また、たとえば、光受信器１０１では、バイアス／電流モニタ部１１における回路の時定数τが、以下を満足するように設定される。
【０１０８】
すなわち、モニタ電圧Ｖｒｓｓｉが安定するまでの最大許容時間をｔとし、ＰＯＮシステム５０１において想定される各バースト信号間の強弱比をＲとすると、
ｅｘｐ（−ｔ／τ）＜（１＋ｅｒｒ）／Ｒ・・・（Ｃ２）
【０１０９】
たとえば、式（Ｃ２）において、τ／ｔ＝１／８、Ｒ＝２５０の場合、ｅｒｒ＝８．４％となる。
【０１１０】
このような構成により、受光素子の出力電流を電圧に変換する回路の時定数を十分短くすることができるため、受光素子の出力電流を良好に測定することができる。また、時定数の最小値および許容誤差を考慮した適切な値の時定数を設定することができる。
【０１１１】
なお、式（Ｃ２）において、モニタ対象のバースト信号が光受信器１０１に与えられるタイミングによっては、右辺の値が（１＋ｅｒｒ）／Ｒより小さくなり、時定数τに対する要求が厳しくなる可能性がある。
【０１１２】
プリアンブル部における連続符号時間を４ｎｓとし、許容最大誤差を２０％とすると、時定数τは、式（Ｃ１）より、以下の式で表される。
１−ｅｘｐ（−４［ｎｓ］／τ）＜０．２
τ＞１８［ｎｓ］
【０１１３】
また、時定数τは、式（Ｃ２）より、以下の式で表される。
ｅｘｐ（−６００［ｎｓ］／τ）＜（１＋０．２）／２５０
τ＜１１２．３７７・・・［ｎｓ］
【０１１４】
したがって、１８ｎｓ＜τ＜約１１２ｎｓとなる。そして、バイアス電圧供給／モニタ回路２２の入力抵抗をＲｉｎとし、キャパシタ２５の容量をＣａｐｄとすると、τ＝Ｒｉｎ×Ｃａｐｄであるから、τがこの条件を満足するように、ＲｉｎおよびＣａｐｄを設定すればよい。
【０１１５】
図７は、本発明の実施の形態に係る光受信器におけるバイアス／電流モニタ部の詳細な構成を示す図である。
【０１１６】
図７を参照して、バイアス／電流モニタ部１１は、さらに、カレントミラー回路２６を含む。
【０１１７】
カレントミラー回路２６は、定電流源２１の出力電流Ｉｓに対応するミラー電流を出力する。定電流源２１は、カレントミラー回路２６の低電位側かつ参照電流出力側と電気的に接続されている。バイアス電圧供給／モニタ回路２２は、カレントミラー回路２６の低電位側かつミラー電流出力側と電気的に接続されている。
【０１１８】
バイアス電圧供給／モニタ回路２２には、カレントミラー回路２６のミラー電流から受光素子５２の出力電流Ｉａｐｄを差し引いた残留電流Ｉｒｓｓｉが供給される。
【０１１９】
より詳細には、カレントミラー回路２６は、ＰＮＰトランジスタ３２，３３を含む。なお、ＰＮＰトランジスタ３２，３３は、ＰチャネルＭＯＳトランジスタ等、他のＰ型トランジスタであってもよい。
【０１２０】
ＰＮＰトランジスタ３２は、電源電圧Ｖｃｃの供給される電源ノードに接続されたエミッタと、定電流源２１の入力ノードに接続されたベースおよびコレクタとを有する。ＰＮＰトランジスタ３３は、電源電圧Ｖｃｃの供給される電源ノードに接続されたエミッタと、ＰＮＰトランジスタ３２のベースおよびコレクタに接続されたベースと、バイアス電圧供給／モニタ回路２２、キャパシタ２５および受光素子５２に接続されたコレクタとを有する。
【０１２１】
この回路では、グランド基準の低電位側に設けられた定電流源２１の出力電流Ｉｓを、ＰＮＰトランジスタ３２，３３で構成されるカレントミラー回路２６でコピーすることにより、バイアス電圧供給／モニタ回路２２に対する定電流源を実現する。すなわち、定電流源２１をローサイドに設け、定電流源２１の出力電流ＩｓをＰＮＰトランジスタ３２，３３を用いてミラーする。
【０１２２】
受光素子５２の受光強度が大きく、受光素子５２の出力電流Ｉａｐｄのレベルが定電流源２１の出力電流Ｉｓを超えようとする際、ＰＮＰトランジスタ３３のコレクタ−エミッタ間電圧が増加することにより、接続ノードＮｂｉａｓすなわち受光素子５２のカソードの電圧が低下する。
【０１２３】
そして、接続ノードＮｂｉａｓの電圧が受光素子５２の閾値電圧すなわち順方向電圧まで低下することにより、出力電流Ｉｐｄの時間平均値が減少する。あるいは、受光素子５２がＡＰＤである場合には、受光素子５２の電流増倍率が低下して出力電流Ｉｐｄが減少する。
【０１２４】
すなわち、図７に示す回路では、受光素子５２の過電流破壊を防止するリミット機能を実現することができる。
【０１２５】
図８は、本発明の実施の形態に係る光受信器におけるバイアス／電流モニタ部の詳細な構成を示す図である。
【０１２６】
図８を参照して、バイアス／電流モニタ部１１は、図７に示す構成と比べて、抵抗３４をさらに含む。バイアス電圧供給／モニタ回路２２は、抵抗３４を介した定電流源２１およびカレントミラー回路２６の接続ノードの電圧からバイアス電圧Ｖｂｉａｓを生成する。
【０１２７】
より詳細には、ＰＮＰトランジスタ３１は、カレントミラー回路２６および受光素子５２と電気的に接続されたエミッタと、コレクタと、定電流源２１および抵抗３４の接続ノードと電気的に接続されたベースとを有する。
【０１２８】
すなわち、バイアス電圧供給／モニタ回路２２では、ローサイド電流源すなわち定電流源２１と、カレントミラー用ＰＮＰトランジスタ３２のコレクタとの間に適切な抵抗値の抵抗３４を設け、抵抗３４のローサイド側のノードすなわち抵抗３４および定電流源２１の接続ノードを、バイアス電圧供給／モニタ回路２２に接続する。これにより、抵抗３４および定電流源２１の接続ノードにおける電圧が参照電圧Ｖｒｅｆとしてバイアス電圧供給／モニタ回路２２に供給される。
【０１２９】
このような構成により、電源電圧Ｖｃｃを基準として参照電圧Ｖｒｅｆを生成することができるため、参照電圧源を別途用意する必要がなくなる。
【０１３０】
なお、抵抗３４の抵抗値が０Ωの場合でもバイアス電圧供給／モニタ回路２２が動作する場合、具体的には、バイアス電圧供給／モニタ回路２２におけるＰＮＰトランジスタ３１がオンする場合には、抵抗３４を設けなくてもよい。この場合、定電流源２１およびカレントミラー用ＰＮＰトランジスタ３２の接続ノードがバイアス電圧供給／モニタ回路２２に接続される。
【０１３１】
図９は、図７に示す回路にサンプルホールド機能を追加した構成を示す図である。
【０１３２】
図９を参照して、光受信器１０１は、さらに、サンプルホールド部２７を備える。
【０１３３】
サンプルホールド部２７は、受光素子５２の出力電流を測定すべきタイミングを示す通信制御部３０４からのタイミング情報に従い、バイアス電圧供給／モニタ回路２２から出力されるモニタ電圧Ｖｒｓｓｉを保持するとともに通信制御部３０４におけるＡＤＣ（アナログ／デジタルコンバータ）へ出力する。
【０１３４】
このＡＤＣは、たとえばマイクロコンピュータに内蔵され、サンプルホールド部２７から受けたモニタ電圧Ｖｒｓｓｉのレベルをデジタル値に変換する。通信制御部３０４は、このデジタル値を用いて受光強度を算出する。
【０１３５】
このような構成により、サンプルホールド部２７より後段の回路の動作を低速化することができる。また、通信制御部３０４からタイミング情報を取得してサンプルホールドを行なう構成により、バースト信号を検出すべきタイミングを把握し、適切なタイミングにおける測定結果を確実に得ることができる。
【０１３６】
次に、本願発明者による光受信器１０１の動作の検証内容を詳細に説明する。
【０１３７】
図１０は、本発明の実施の形態に係る光受信器のシミュレーション回路を示す図である。
【０１３８】
図１０を参照して、このシミュレーション回路では、バイアス／電流モニタ部１１が、定電流源２１と、バイアス電圧供給／モニタ回路２２と、キャパシタＣ２と、抵抗３４と、カレントミラー回路２６とを含む。バイアス電圧供給／モニタ回路２２は、電位変動抑制回路２３と、抵抗３０と、キャパシタＣ４とを含む。カレントミラー回路２６は、いわゆるウィルソンカレントミラー回路であり、ＰＮＰトランジスタＱ６〜Ｑ９を含む。電位変動抑制回路２３は、ＰＮＰトランジスタＱ１，Ｑ１１を含む。このシミュレーション回路では、キャパシタ２５の容量値は１０００ｐＦに設定している。定電流源２１は、たとえば図示しないＮＰＮトランジスタおよび差動増幅器を含む。
【０１３９】
カレントミラー回路２６において、ＰＮＰトランジスタＱ９は、電源電圧Ｖｃｃの供給される電源ノードに接続されたエミッタと、コレクタと、ベースとを有する。ＰＮＰトランジスタＱ８は、ＰＮＰトランジスタＱ９のコレクタに接続されたエミッタと、互いに接続されたベースおよびコレクタとを有する。ＰＮＰトランジスタＱ７は、電源電圧Ｖｃｃの供給される電源ノードに接続されたエミッタと、ＰＮＰトランジスタＱ９のベースに接続されたコレクタおよびベースとを有する。ＰＮＰトランジスタＱ６は、ＰＮＰトランジスタＱ７のベースおよびコレクタに接続されたエミッタと、ＰＮＰトランジスタＱ８のベースおよびコレクタに接続されたベースと、コレクタとを有する。また、キャパシタＣ２の第１端は、電源電圧Ｖｃｃの供給される電源ノードに接続されている。
【０１４０】
抵抗３４は、ＰＮＰトランジスタＱ８のベースおよびコレクタに接続された第１端と、ＰＮＰトランジスタＱ１のベースおよび定電流源２１の第１端に接続された第２端とを有する。バイアス電圧供給／モニタ回路２２において、ＰＮＰトランジスタＱ１は、抵抗３４の第２端および定電流源２１の第１端に接続されたベースと、キャパシタＣ２の第２端に接続されたエミッタと、抵抗３０の第１端およびキャパシタＣ４の第１端に接続されたコレクタとを有する。ＰＮＰトランジスタＱ１１は、ＰＮＰトランジスタＱ１のエミッタに接続されたベースと、ＰＮＰトランジスタＱ６のコレクタ、キャパシタＣ２５の第１端、および受光素子５２のカソードに接続されたエミッタと、ＰＮＰトランジスタＱ１のコレクタに接続されたコレクタとを有する。
【０１４１】
抵抗３０の第２端、キャパシタＣ４の第２端、キャパシタ２５の第２端および定電流源２１の第２端は、接地ノードに接続されている。
【０１４２】
カレントミラー回路２６、バイアス電圧供給／モニタ回路２２、キャパシタ２５および受光素子５２の接続ノードＮｂｉａｓにカレントミラー回路２６から定電流Ｉｓが供給される。また、抵抗３０を通して残留電流Ｉｒｓｓｉが流れる。また、接続ノードＮｂｉａｓの電圧Ｖａｐｄがバイアス電圧として受光素子５２に供給される。
【０１４３】
図１１は、図１０に示すシミュレーション回路におけるモニタ特性を示す図である。図１１において、横軸は受光素子５２の出力電流Ｉａｐｄであり、縦軸は（定電流Ｉｓ−残留電流Ｉｒｓｓｉ）である。
【０１４４】
図１１を参照して、出力電流Ｉａｐｄが１ｕＡ（マイクロアンペア）のとき、（定電流Ｉｓ−残留電流Ｉｒｓｓｉ）が１．０２ｕＡとなる。そして、出力電流Ｉａｐｄの１ｕＡからの増加に略比例して、（定電流Ｉｓ−残留電流Ｉｒｓｓｉ）が増加する。
【０１４５】
したがって、受光素子５２の出力電流Ｉａｐｄについて、理想的なモニタ特性が得られていることが分かる。
【０１４６】
図１２は、図１０に示すシミュレーション回路における過渡応答を示す図である。図１２において、横軸は時間であり、縦軸は（定電流Ｉｓ−残留電流Ｉｒｓｓｉ）である。
【０１４７】
図１２を参照して、０秒において受光素子５２の出力電流Ｉａｐｄを１ｍＡ（ミリアンペア）に設定し、１．０ｕｓ秒において出力電流Ｉａｐｄを４ｕＡ（グラフＩ１）、１０ｕＡ（グラフＩ２）および１００ｕＡ（グラフＩ３）にそれぞれ設定し、２．０ｕｓ秒において出力電流Ｉａｐｄをゼロアンペアに設定する。この１ｍＡの出力電流Ｉａｐｄが−６ｄＢｍの高強度のバースト光信号の受光強度に相当し、ゼロアンペアの出力電流Ｉａｐｄがバースト光信号の間隔であるＩＢＧ（Inter Burst Gap）に相当する。
【０１４８】
この場合、（定電流Ｉｓ−残留電流Ｉｒｓｓｉ）は、出力電流Ｉａｐｄの値を変更してから２８０ｎｓ（ナノ秒）経過後にほぼ安定している。
【０１４９】
すなわち、ＩＢＧはたとえば１０Ｇ−ＥＰＯＮでは０．２ｕｓと規定されており、十分な速度のバースト応答が得られていることが分かる。
【０１５０】
図１３は、図１０に示すシミュレーション回路における周波数応答を示す図である。図１３において、横軸は周波数であり、縦軸は低周波でのモニタ電圧Ｖｒｓｓｉに対する比である。
【０１５１】
図１３を参照して、１０ＭＨｚで３ｄＢの減衰となっていることから、このシミュレーション回路では、受光素子５２の出力電流Ｉａｐｄに対するモニタ電圧Ｖｒｓｓの応答速度として１０ＭＨｚの帯域が得られており、１００ｎｓ程度が要求されるモニタ機能の時定数として十分な性能が得られていることが分かる。
【０１５２】
図１４は、図１０に示すシミュレーション回路におけるリミット機能を示す図である。図１４において、横軸は受光素子５２の出力電流Ｉａｐｄであり、縦軸は受光素子５２に供給されるバイアス電圧である電圧Ｖａｐｄである。ここでは、定電流Ｉｓは２ｍＡとする。
【０１５３】
図１４を参照して、出力電流Ｉａｐｄが２ｍＡを超えると、カレントミラー回路２６によるリミット機能が働き、電圧Ｖａｐｄが２６．７Ｖから低下する。
【０１５４】
図１５は、図１０に示すシミュレーション回路に与えるバースト光信号の一例を示す図である。
【０１５５】
図１５を参照して、図１０に示すシミュレーション回路に、まず、−６ｄＢｍの高強度のダミーのバースト光信号を２ｕｓ間与え、０．２ｕｓのＩＢＧの後、強度Ｐｏｗのテスト用のバースト光信号を２ｕｓ間与え、さらに、０．２ｕｓのＩＢＧの後、−６ｄＢｍの高強度のダミーのバースト光信号を２ｕｓ間与える。
【０１５６】
本検証では、１回目のＩＢＧの略中央のサンプリングタイミングＳ１から１００ｎｓ間隔でモニタ電圧Ｖｒｓｓｉのデジタル値を取得する。
【０１５７】
図１６は、図１５に示すバースト光信号を与えた場合におけるテスト用のバースト光信号のモニタ結果を示す図である。図１６において、横軸はバーストタイミングすなわちサンプリングタイミングＳ１からの経過時間であり、縦軸はＡＤＣ出力すなわちモニタ電圧Ｖｒｓｓｉのデジタル値である。
【０１５８】
図１７は、図１５に示すバースト光信号を与えた場合におけるテスト用のバースト光信号のモニタ結果を示す図である。図１７において、横軸はテスト用のバースト光信号の強度Ｐｏｗであり、縦軸はＡＤＣ差分すなわちＩＢＧにおけるＡ／Ｄコンバータの出力値と各バーストタイミングにおけるＡ／Ｄコンバータの出力値との差である。
【０１５９】
ここで、Ａ／Ｄコンバータの出力値は、ＩＢＧすなわちバースト光信号が無入力の状態において残留電流が最大となることから最大となり、バースト光信号の強度が大きくなるほど小さくなる。
【０１６０】
図１６を参照して、バーストタイミングが０．０ｕｓにおいては、略１００ｎｓ前のタイミングｔ１までシミュレーション回路が受けていたダミーのバースト光信号の影響でモニタ電圧Ｖｒｓｓｉがある程度のレベルを有しており、ＡＤＣ出力が７００となっている。その後、徐々にモニタ電圧Ｖｒｓｓｉが小さくなり、ＡＤＣ出力が大きくなる。
【０１６１】
そして、バーストタイミングが０．１ｕｓになるとテスト用のバースト光信号が入力され、当該バースト光信号の強度に応じた値にＡＤＣ出力が収束していく。ＡＤＣ出力は、−６ｄＢｍの強度に対応するＰｏｗ７が元も小さい値となり、−１０ｄＢｍ、−１４ｄＢｍ、−２０ｄＢｍ、−２４ｄＢｍ、−３０ｄＢｍおよび−３３ｄＢｍ、の強度にそれぞれ対応するＰｏｗ６、Ｐｏｗ５、Ｐｏｗ４、Ｐｏｗ３、Ｐｏｗ２およびＰｏｗ１がこの順番で大きくなっていく。
【０１６２】
図１６に示すように、バーストタイミングが０．４０ｕｓ、すなわち図１５に示すサンプリングタイミングＳ５でＡＤＣ出力が安定していることが分かる。
【０１６３】
図１７を参照して、ＴＧ１は、連続的な光信号を入力した場合を示しており、光強度とＡＤＣ差分とが線形関係にある。
【０１６４】
これに対して、バーストタイミングが０．０ｕｓ、０．１ｕｓ、０．２ｕｓおよび０．３ｕｓにそれぞれ対応するＴＧ９、ＴＧ８、ＴＧ７およびＴＧ６では、ダミーのバースト光信号の影響で光強度とＡＤＣ差分とが線形関係にない。
【０１６５】
そして、バーストタイミングが０．４ｕｓ、０．５ｕｓ、０．６ｕｓおよび１．０ｕｓにそれぞれ対応するＴＧ５、ＴＧ４、ＴＧ３およびＴＧ２において、光強度とＡＤＣ差分とがほぼ線形関係となっていることが分かる。
【０１６６】
以上より、バーストタイミングが０．４０ｕｓのタイミング、すなわちテスト用のバースト光信号の終了タイミングｔ１から５００ｎｓでモニタ電圧Ｖｒｓｓｉが安定していることが分かる。
【０１６７】
すなわち、ＩＥＥＥ８０２．３ａｖで規定されたバースト光信号の同期パターンの長さに対して、６００ｎｓで、モニタ電圧Ｖｒｓｓｉが強信号受信時の−２４ｄＢに安定する、という要求を十分に満たしている。
【０１６８】
図１８は、本発明の実施の形態に係る受光電流モニタ方法の手順を示すフローチャートである。
【０１６９】
図１８を参照して、まず、定電流Ｉｓをバイアス電圧供給／モニタ回路２２および受光素子５２に供給する（ステップＳ１）。
【０１７０】
そして、光信号が到着すると（ステップＳ２）、受光素子５２は、当該光信号の強度に応じた受光電流Ｉａｐｄを出力する（ステップＳ３）。
【０１７１】
ここで、カレントミラー回路２６により、受光電流Ｉａｐｄの上限は、定電流Ｉｓに制限される（ステップＳ４）。
【０１７２】
次に、バイアス／電流モニタ部１１において、定電流Ｉｓから受光電流Ｉａｐｄを差し引いた残留電流Ｉｒｓｓｉを生成する（ステップＳ５）。
【０１７３】
次に、受光素子５２の出力電流Ｉａｐｄの大きさを示すモニタ電圧Ｖｒｓｓｉを、残留電流Ｉｒｓｓｉを電圧に変換することにより生成する。より詳細には、残留電流Ｉｒｓｓｉを抵抗３０を通して流すことによりモニタ電圧Ｖｒｓｓｉを生成する（ステップＳ６）。
【０１７４】
また、参照電圧Ｖｒｅｆおよび残留電流Ｉｒｓｓｉからバイアス電圧Ｖａｐｄを生成し、受光素子５２に供給する。たとえば、図８に示すようにカレントミラー回路２６および定電流源２１を用いて電源電圧Ｖｃｃを基準に参照電圧Ｖｒｅｆを生成し、参照電圧Ｖｒｅｆに残留電流Ｉｒｓｓｉによって決定される電圧を加算してバイアス電圧Ｖｂｉａｓを決定する（ステップＳ７）。
【０１７５】
［変形例］
図１９は、本発明の実施の形態に係る光受信器におけるバイアス／電流モニタ部の変形例の構成を示す図である。
【０１７６】
図１９を参照して、このバイアス／電流モニタ部１１は、図１０に示す回路と比べて、キャパシタＣ２を含まず、バイアス電圧供給／モニタ回路２２が、ＰＮＰトランジスタＱ１，Ｑ１１の代わりにＰチャネルＭＯＳトランジスタＭ１を含む。
【０１７７】
バイアス電圧供給／モニタ回路２２において、ＰチャネルＭＯＳトランジスタＭ１は、抵抗３４の第２端および定電流源２１の第１端に接続されたゲートと、抵抗３０の第１端およびキャパシタＣ４の第１端に接続されたドレインと、ＰＮＰトランジスタＱ６のコレクタ、キャパシタＣ２５の第１端および受光素子５２のカソードに接続されたソースとを有する。
【０１７８】
このバイアス／電流モニタ部１１において、図１０に示す回路と同様に、カレントミラー回路２６、バイアス電圧供給／モニタ回路２２、キャパシタ２５および受光素子５２の接続ノードＮｂｉａｓにカレントミラー回路２６から定電流Ｉｓが供給される。定電流Ｉｓから受光素子５２の出力電流Ｉａｐｄを差し引いた残留電流Ｉｒｓｓｉが抵抗３０を通して流れる。そして、抵抗３０によって残留電流Ｉｒｓｓｉがモニタ電圧Ｖｒｓｓｉに変換される。また、接続ノードＮｂｉａｓの電圧Ｖａｐｄがバイアス電圧として受光素子５２に供給される。
【０１７９】
なお、このバイアス／電流モニタ部１１では、定電流源２１を、たとえば図示しないＮチャネルＭＯＳトランジスタおよび差動増幅器によって実現することが可能である。
【０１８０】
その他の構成および動作は図１０に示す回路と同様であるため、ここでは詳細な説明を繰り返さない。
【０１８１】
図２０は、本発明の実施の形態に係る光受信器におけるバイアス／電流モニタ部の変形例の構成を示す図である。
【０１８２】
図２０を参照して、このバイアス／電流モニタ部１１は、差動増幅器４１と、抵抗３０，４２，４３と、キャパシタ４４と、定電流源Ｉ２１と、ＰＮＰトランジスタＱ２１とを含む。
【０１８３】
抵抗４２の第１端および抵抗４３の第１端は、電源電圧Ｖｃｃの供給される電源ノードに接続されている。差動増幅器４１は、抵抗４２の第２端に接続された反転入力端子と、抵抗４３の第２端および定電流源Ｉ２１の第１端に接続された非反転入力端子と、出力端子とを有する。ＰＮＰトランジスタＱ２１は、抵抗４２の第２端および差動増幅器４１の反転入力端子に接続されたエミッタと、抵抗３０の第１端およびキャパシタ４４の第１端に接続されたコレクタと、差動増幅器４１の出力端子に接続されたベースとを有する。キャパシタ２５の第１端および受光素子５２のカソードが、抵抗４２の第２端、差動増幅器４１の反転入力端子およびＰＮＰトランジスタＱ２１のエミッタに接続されている。キャパシタ２５の第２端、抵抗３０の第２端、キャパシタ４４の第２端、定電流源Ｉ２１の第２端が、接地電圧の供給される接地ノードに接続されている。差動増幅器４１の正側電源端子が電源電圧Ｖｃｃの供給される電源ノードに接続され、負側電源端子が接地ノードに接続されている。
【０１８４】
この回路では、定電流源Ｉ２１によって抵抗４３の第２端の電圧Ｖｂが一定レベルとなる。そして、差動増幅器４１は、この電圧Ｖｂを非反転入力端子において受けて、反転入力端子の電圧が電圧Ｖｂと等しくなるように、ＰＮＰトランジスタＱ２１のベースへ電流を出力する。
【０１８５】
これにより、抵抗４２、差動増幅器４１、ＰＮＰトランジスタＱ２１、キャパシタ２５および受光素子５２の接続ノードＮｂｉａｓすなわち受光素子５２のカソードの電位の、受光素子５２の出力電流Ｉａｐｄの大小に応じた変動が抑制される。すなわち、受光素子５２に供給されるバイアス電圧Ｖｂｉａｓが一定に保たれる。
【０１８６】
接続ノードＮｂｉａｓの電圧が一定に保たれることにより、抵抗４２を通して流れる電流が一定となり、接続ノードＮｂｉａｓへ定電流Ｉｓが流れ、定電流Ｉｓから受光素子５２の出力電流Ｉａｐｄを差し引いた残留電流Ｉｒｓｓｉが抵抗３０を通して流れる。そして、抵抗３０によって残留電流Ｉｒｓｓｉがモニタ電圧Ｖｒｓｓｉに変換される。
【０１８７】
すなわち、図２０に示す回路では、差動増幅器４１と、抵抗４２，４３と、定電流源Ｉ２１と、ＰＮＰトランジスタＱ２１とが電位変動抑制回路２３および定電流源２１に相当する。また、差動増幅器４１と、抵抗３０，４２，４３と、キャパシタ４４と、定電流源Ｉ２１と、ＰＮＰトランジスタＱ２１とがバイアス電圧供給／モニタ回路２２に相当する。
【０１８８】
次に、本願発明者による図２０に示す回路を備えた光受信器１０１の動作の検証内容を詳細に説明する。
【０１８９】
なお、以下のシミュレーションでは、図１０に示す回路と同様に、キャパシタ２５の容量値を１０００ｐＦに設定した。
【０１９０】
図２１は、図２０に示すシミュレーション回路におけるバイアス電圧の特性を示す図である。図２１において、横軸は時間であり、縦軸は受光素子５２に供給されるバイアス電圧である電圧Ｖａｐｄである。
【０１９１】
図２１を参照して、出力電流Ｉａｐｄを４ｕＡ、１０ｕＡおよび１００ｕＡの各々に設定した場合における電圧Ｖａｐｄ（グラフＶ１〜Ｖ３）は、約２９．９４ボルトの電源電圧Ｖｃｃに対して２９．５４ボルトとほぼ一定になっており、受光素子５２の出力電流Ｉａｐｄの大小に関わらず、バイアス電圧Ｖａｐｄが一定に保たれていることが分かる。
【０１９２】
図２２は、図２０に示すシミュレーション回路における過渡応答を示す図である。図２２において、横軸は時間であり、縦軸は（定電流Ｉｓ−残留電流Ｉｒｓｓｉ）である。
【０１９３】
図２２を参照して、図１２に示す場合と同様に、０秒において受光素子５２の出力電流Ｉａｐｄを１ｍＡ（ミリアンペア）に設定し、１．０ｕｓ秒において出力電流Ｉａｐｄを４ｕＡ（グラフＩ１１）、１０ｕＡ（グラフＩ１２）および１００ｕＡ（グラフＩ１３）にそれぞれ設定し、２．０ｕｓ秒において出力電流Ｉａｐｄをゼロアンペアに設定する。この１ｍＡの出力電流Ｉａｐｄが−６ｄＢｍの高強度のバースト光信号の受光強度に相当し、ゼロアンペアの出力電流Ｉａｐｄがバースト光信号の間隔であるＩＢＧ（Inter Burst Gap）に相当する。
【０１９４】
この場合、（定電流Ｉｓ−残留電流Ｉｒｓｓｉ）は、出力電流Ｉａｐｄの値を変更してから２８０ｎｓ（ナノ秒）経過後にほぼ安定している。
【０１９５】
すなわち、図２０に示す回路を備えた光受信器１０１においても、ＩＢＧが０．２ｕｓと規定された１０Ｇ−ＥＰＯＮにおいて、十分な速度のバースト応答が得られていることが分かる。
【０１９６】
ところで、ポイント・ツー・マルチポイントの通信システムにおける局側装置は、複数のＯＮＵから送信される時分割多重されたレベルの異なるバースト光信号を受信する必要がある。
【０１９７】
当該バースト光信号の受光強度をモニタする場合、少なくともバースト光信号の終端までにモニタ用アナログ電圧を安定させる必要がある。
【０１９８】
ＩＥＥＥ８０２．３ａｖで規定される１０Ｇ−ＥＰＯＮの局側装置における光受信器のモニタ機能に対する要求は、バースト光信号の先頭の同期パターンの長さ１．２ｕｓ以内にモニタを行なうこと、である。
【０１９９】
前述のように、同期パターンの長さ以内の６００ｎｓで上り光信号の受光レベルをモニタすることを目標とした場合、モニタ機能の時定数は１００ｎｓ程度となる。
【０２００】
しかしながら、受光素子へのバイアス電圧供給ノードにノイズ除去用のバイパスコンデンサが接続される条件下で、特許文献１、特許文献２および非特許文献１に記載のＲＳＳＩ回路では、このような応答速度を確保しながら高精度なモニタを実現することは困難である。
【０２０１】
これに対して、本発明の実施の形態に係る光受信器では、バイアス電圧供給／モニタ回路２２は、受光素子５２にバイアス電圧Ｖｂｉａｓを供給し、かつ受光素子５２の出力電流Ｉａｐｄの大きさを示すモニタ電圧Ｖｒｓｓｉを生成する。バイアス電圧供給／モニタ回路２２には、定電流源２１の出力電流Ｉｓから受光素子５２の出力電流Ｉａｐｄを差し引いた残留電流Ｉｒｓｓｉが供給される。そして、バイアス電圧供給／モニタ回路２２は、残留電流Ｉｒｓｓｉをモニタ電圧Ｖｒｓｓｉに変換する。
【０２０２】
このように、残留電流をモニタ用の電流として用いる構成により、受光素子５２の受光強度が小さく受光素子５２の出力電流が小さい場合でも、モニタ用の電流値は大幅には小さくならないため、モニタ回路における電圧変換用の抵抗のばらつき等によるモニタ電圧のばらつきが小さくなる。これにより、受光素子５２の出力電流が小さい場合でも、モニタ精度が劣化することを防ぐことができる。
【０２０３】
したがって、本発明の実施の形態に係る光受信器では、受光素子の出力電流を良好に測定することができる。
【０２０４】
また、残留電流をモニタ用の電流として用いる構成により、受光素子５２の出力電流はモニタ回路におけるモニタ電流に影響されないことから、光信号を電気信号に変換する主信号回路を良好に動作させることができる。
【０２０５】
また、本発明の実施の形態に係る光受信器では、バイアス電圧供給／モニタ回路２２は、定電流源２１および受光素子５２と電気的に接続された第１導通電極と、第２導通電極と、参照電圧Ｖｒｅｆを受ける制御電極とを有するトランジスタを含む。
【０２０６】
このように、バイアス電圧供給／モニタ回路２２においてトランジスタを用いる構成により、受光素子５２の受光強度が小さい場合において残留電流がほぼ定電流源の出力電流となり、受光素子５２および当該トランジスタの接続ノードから当該トランジスタへの入力抵抗が一定となるため、受光素子５２の受光強度が小さい場合において受光素子５２へのバイアス電圧が安定し、モニタ精度を高めることができる。また、バイアス電圧供給／モニタ回路２２の入力抵抗を小さくすることができるため、回路の時定数が小さくなり、モニタ回路の応答性を高めることができる。
【０２０７】
また、本発明の実施の形態に係る光受信器では、バイアス電圧供給／モニタ回路２２における上記トランジスタの第１導通電極への入力抵抗は、上記第１導通電極および上記第２導通電極間を流れる電流が大きくなるほど、小さくなる。
【０２０８】
このような構成により、受光素子５２の受光強度が小さい場合において受光素子５２および上記トランジスタの接続ノードから上記トランジスタへの入力抵抗が小さくなることから、回路の時定数が小さくなり、モニタ回路の応答性を高めることができる。また、定電流源の出力電流値を調整することで、上記入力抵抗の値を容易に制御することが可能となる。
【０２０９】
また、本発明の実施の形態に係る光受信器では、バイアス電圧供給／モニタ回路２２における上記トランジスタは、第１導通電極としてのエミッタと、第２導通電極としてのコレクタと、制御電極としてのベースとを有するＰＮＰトランジスタ３１である。
【０２１０】
このように、ＰＮＰトランジスタを用いる構成により、モニタ電圧をたとえばグランド基準の低電圧とすることができるため、レベルシフトを行なうための耐圧の大きい部品等を不要とすることができる。
【０２１１】
また、本発明の実施の形態に係る光受信器では、電位変動抑制回路２３は、定電流源２１、受光素子５２およびバイアス電圧供給／モニタ回路２２の接続ノードＮｂｉａｓの電位の、受光素子５２の出力電流Ｉａｐｄの大小に応じた変動を抑制する。そして、接続ノードＮｂｉａｓの電圧が、バイアス電圧Ｖｂｉａｓとして受光素子５２に供給される。
【０２１２】
このような構成により、受光素子５２の受光強度の大小に関わらず受光素子５２へのバイアス電圧が安定し、モニタ精度を高めることができる。
【０２１３】
また、本発明の実施の形態に係る光受信器では、カレントミラー回路２６は、定電流源２１の出力電流Ｉｓに対応するミラー電流を出力する。定電流源２１は、カレントミラー回路２６の参照電流出力側と電気的に接続されている。そして、バイアス電圧供給／モニタ回路２２には、カレントミラー回路２６のミラー電流から受光素子５２の出力電流Ｉａｐｄを差し引いた残留電流Ｉｒｓｓｉが供給される。
【０２１４】
このような構成により、受光素子５２の受光強度が大きいことにより定電流源の出力電流値を超えるような状況において、受光素子５２の出力電流を減少させることができるため、受光素子５２の過電流破壊を防ぐことができる。
【０２１５】
また、本発明の実施の形態に係る光受信器では、バイアス電圧供給／モニタ回路２２は、定電流源２１およびカレントミラー回路２６の接続ノードの電圧からバイアス電圧Ｖｂｉａｓを生成する。
【０２１６】
このような構成により、バイアス電圧を供給するための電圧源を別途設ける必要がなくなり、回路構成の簡易化を図ることができる。
【０２１７】
また、本発明の実施の形態に係る光受信器では、キャパシタ２５は、定電流源２１、受光素子５２のカソードおよびバイアス電圧供給／モニタ回路２２の接続ノードＮｂｉａｓと、固定電圧の供給される固定電圧ノードとの間に接続されている。受光素子５２のアノードは、受光素子５２の出力電流Ｉａｐｄに基づいて、光信号を電気信号に変換した受信信号を生成する受信信号生成部２８と電気的に接続されている。
【０２１８】
このような構成により、受光素子５２のバイアス電圧供給経路における高周波ノイズを除去し、光信号から電気信号への変換および光信号のモニタを良好に行なうことができる。
【０２１９】
また、本発明の実施の形態に係る光受信器では、サンプルホールド部２７は、受光素子５２の出力電流Ｉａｐｄを測定すべきタイミングを示すタイミング情報に従い、モニタ電圧Ｖｒｓｓｉを保持するとともに出力する。
【０２２０】
このような構成により、サンプルホールド部２７より後段の回路の動作を低速化することができるため、高精度な部品を使用することができる。たとえば、後段のＡ／Ｄコンバータの低速動作を可能とすることにより、Ａ／Ｄコンバータとして高速動作を満足する部品を使用する必要がなくなり、部品選択の容易化を図ることができる。
【０２２１】
また、本発明の実施の形態に係る光受信器は、宅側装置４０１Ａ，４０１Ｂ，４０１Ｃ，４０１Ｄと、宅側装置４０１Ａ，４０１Ｂ，４０１Ｃ，４０１Ｄと共通の光通信回線を介して光信号を送受信するための局側装置４０２とを備え、宅側装置４０１Ａ，４０１Ｂ，４０１Ｃ，４０１Ｄから局側装置４０２への光信号が時分割多重されるＰＯＮシステム５０１における局側装置４０２に設けられる。
【０２２２】
このような受動的光ネットワークにおいて光受信器を用いることにより、各宅側装置から強度の異なるバースト光信号を連続して受信しても、受光素子５２の出力電流を高速かつ高精度に検出することができる。
【０２２３】
また、本発明の実施の形態に係る光受信器では、時定数τが、以下の式（Ｂ１）を満足するように設定される。
ｅｘｐ（−ｔ／τ）＜１／Ｒ・・・（Ｂ１）
但し、ｔはモニタ電圧Ｖｒｓｓｉが安定するまでの最大許容時間であり、Ｒはバースト光信号の強弱比である。
【０２２４】
このような構成により、受光素子５２の出力電流を電圧に変換する回路の時定数を十分短くすることができるため、受光素子５２の出力電流を良好に測定することができる。
【０２２５】
また、本発明の実施の形態に係る光受信器では、時定数τが、以下の式を満足するように設定される。
１−ｅｘｐ（−ｋ／τ）＜ｅｒｒ・・・（Ｃ１）
ｅｘｐ（−ｔ／τ）＜（１＋ｅｒｒ）／Ｒ・・・（Ｃ２）
但し、ｋはバースト光信号のプリアンブル部において同一論理レベルが連続する最長時間であり、ｅｒｒは最大許容誤差であり、ｔはモニタ電圧Ｖｒｓｓｉが安定するまでの最大許容時間であり、Ｒはバースト光信号の強弱比である。
【０２２６】
このような構成により、受光素子の出力電流を電圧に変換する回路の時定数を十分短くすることができるため、受光素子の出力電流を良好に測定することができる。また、時定数の最小値および許容誤差を考慮した適切な値の時定数を設定することができる。
【０２２７】
また、本発明の実施の形態に係る光受信器では、式（Ｂ１）、式（Ｃ１）および式（Ｃ２）において、ｔは６００ナノ秒であり、Ｒは２５０である。
【０２２８】
このような構成により、ＧＥ−ＰＯＮおよび１０Ｇ−ＥＰＯＮが同一システムにおいて共存する通信システムにおいて、受光素子５２の出力電流を電圧に変換する回路の時定数を十分短く設定することができるため、上り光信号の受光強度を良好に測定することができる。
【０２２９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０２３０】
１１  バイアス／電流モニタ部
２１  定電流源
２２  バイアス電圧供給／モニタ回路
２３  電位変動抑制回路
２６  カレントミラー回路
２７  サンプルホールド部
３０，３４，４２，４３  抵抗
３１  トランジスタ
３２，３３  ＰＮＰトランジスタ
４１  差動増幅器
５０  合分波部
５１  レンズ
５２  受光素子
５３  前置増幅器
５４  後置増幅器
５５  帰還抵抗
５６  発光素子
５７  レンズ
５８  光送信器
５９  クロック／データ再生部
１０１  光受信器
３０１  光モジュール
３０２  ＰＯＮ受信部
３０３  ＰＯＮ送信部
３０４  通信制御部
３０５  上位ネットワーク受信部
３０６  上位ネットワーク送信部
４０１Ａ，４０１Ｂ，４０１Ｃ，４０１Ｄ  宅側装置
４０２  局側装置
５０１  ＰＯＮシステム
Ｃ２，Ｃ４  キャパシタ
Ｑ１，Ｑ６〜Ｑ９，Ｑ１１，Ｑ２１  ＰＮＰトランジスタ
Ｉ２１  定電流源
Ｍ１  ＰチャネルＭＯＳトランジスタ
ＯＰＴＦ  光ファイバ
ＳＰ１，ＳＰ２  スプリッタ
Ｔ１〜Ｔ４  端子
【図１】
2014017709.tif 000003
【図２】
2014017709.tif 000004
【図３】
2014017709.tif 000005
【図４】
2014017709.tif 000006
【図５】
2014017709.tif 000007
【図６】
2014017709.tif 000008
【図７】
2014017709.tif 000009
【図８】
2014017709.tif 000010
【図９】
2014017709.tif 000011
【図１０】
2014017709.tif 000012
【図１１】
2014017709.tif 000013
【図１２】
2014017709.tif 000014
【図１３】
2014017709.tif 000015
【図１４】
2014017709.tif 000016
【図１５】
2014017709.tif 000017
【図１６】
2014017709.tif 000018
【図１７】
2014017709.tif 000019
【図１８】
2014017709.tif 000020
【図１９】
2014017709.tif 000021
【図２０】
2014017709.tif 000022
【図２１】
2014017709.tif 000023
【図２２】
2014017709.tif 000024